(57)【特許請求の範囲】
【請求項１】
操作領域内の座標位置が表示装置による表示領域の座標位置に１対１で対応付けられ、前記表示装置による表示領域と分離して設けられている操作面を有し、前記操作面における操作体の接触位置及び前記操作面に対して所定以上の圧力が加えられたプレス状態か非プレス状態かを検出する入力装置と、
前記操作面に対する前記操作体の操作に対応した処理を実行する処理装置とを含み、
前記処理装置は、
前記非プレス状態において前記操作体が前記操作面に接触状態のとき、前記表示領域内における前記接触位置に対応した表示位置に位置特定マークを第１の表示態様で表示し、
前記操作体が前記操作面において前記プレス状態に移行したとき、前記位置特定マークを前記第１の表示態様と異なる第２の表示態様で表示し、
前記プレス状態に移行した第１の接触位置から前記プレス状態のまま第２の接触位置に移動され、該第２の接触位置において前記非プレス状態に移行したとき、前記第１の接触位置及び前記第２の接触位置により決まるドラッグ操作に対応したドラッグ処理とフリック操作に対応したフリック処理とを区別して実行することを特徴とする情報処理装置。
【請求項２】
請求項１において、
前記処理装置は、
前記第１の接触位置から前記第２の接触位置への単位時間当たりの移動量が所与の閾値以上のとき、前記フリック処理を行い、
前記単位時間当たりの移動量が前記閾値未満のとき、前記ドラッグ処理を行うことを特徴とする情報処理装置。
【請求項３】
請求項１乃至２のいずれかにおいて、
前記処理装置は、
前記非プレス状態から前記プレス状態に移行して、前記位置特定マークを前記第２の表示態様で表示し、所定の範囲内で前記接触位置が維持された後、前記非プレス状態に移行したとき、
前記位置特定マークの表示位置においてクリック操作に対応したクリック処理を実行し、前記位置特定マークを前記第１の表示態様で表示することを特徴とする情報処理装置。
【請求項４】
請求項３において、
前記処理装置は、
前記プレス状態において所定の範囲内で前記接触位置が長クリック判定期間以上維持された後、前記非プレス状態に移行したとき、
前記位置特定マークの表示位置において長クリック操作に対応した長クリック処理を実行し、前記位置特定マークを前記第１の表示態様で表示することを特徴とする情報処理装置。
【請求項５】
請求項１乃至４のいずれかにおいて、
前記処理装置は、
前記操作体が前記操作面に非接触状態のとき、前記表示領域内において前記位置特定マークを非表示にする処理を行うことを特徴とする情報処理装置。
【請求項６】
請求項１乃至５のいずれかにおいて、
前記処理装置は、
前記操作領域の面積に対する前記操作体の接触面積の比が、前記表示領域の面積に対する前記位置特定マークの表示面積より大きくなるように、前記位置特定マークを表示させることを特徴とする情報処理装置。
【請求項７】
請求項１乃至６のいずれかにおいて、
前記処理装置は、
前記表示領域内において前記位置特定マークと重なるオブジェクト又は背景画像を透過させて前記位置特定マークを表示する処理を行うことを特徴とする情報処理装置。
【請求項８】
請求項１乃至７のいずれかにおいて、
前記入力装置は、
前記操作面を有するタッチパッドと、
前記タッチパッドの可動を検知するように配置されたスイッチとを含み、
前記操作面に前記圧力が加えられることにより前記スイッチが切り換えられ、前記スイッチの切り換え状態に応じて前記プレス状態又は前記非プレス状態を検出することを特徴とする情報処理装置。
【請求項９】
請求項８において、
前記入力装置は、
前記プレス状態のとき前記タッチパッドの可動の位置を前記スイッチの切り換え位置に移動させ、前記非プレス状態のとき前記タッチパッドの可動の位置を所定の位置に戻す１又は複数のクッション材を含むことを特徴とする情報処理装置。
【請求項１０】
請求項１乃至９のいずれかにおいて、
前記処理装置による処理結果が反映される前記表示装置を含むことを特徴とする情報処理装置。
【請求項１１】
請求項１０において、
前記表示装置は、
ヘッドマウントディスプレイ装置であることを特徴とする情報処理装置。
【発明の詳細な説明】
【技術分野】
【０００１】
本発明は、情報処理装置に関し、特に操作面を有する入力装置を備えた情報処理装置に関する。
【背景技術】
【０００２】
近年、スマートフォンに代表される情報端末機器（情報処理装置）が広く普及し、ネットワークに接続してホームページの閲覧、電子メールの送受信、アプリケーションのダウンロード等を行ったりすることができ、幅広い用途で用いられるようになっている。このような情報端末機器は、従来、予め機能が割り当てられた操作ボタンや方向キー、或いはタッチスクリーン（タッチ式ユーザーインターフェース）を備え、ユーザーによる操作で情報を入力するようにしていた。
【０００３】
この種の情報端末機器では、小型化や用途の広がりによって、操作ボタン等の操作部に対する操作内容が多様化する一方、快適な操作性が要求される。そこで、限られたスペースで多様な情報入力が可能な入力装置が、種々提案されている。例えば特許文献１には、座標位置信号の出力値の変動を利用することで操作性を向上させた入力装置が開示されている。
【０００４】
ところで、上記のような情報端末機器では、操作ボタンやタッチ式ユーザーインターフェース等の操作部が表示画面の近傍に配置されているため、ユーザーは表示画面と操作元を容易に見比べながら所望の情報を入力できる。これに対して、操作部と表示画面とを離れた位置に配置する場合、ユーザーは表示画面と操作元を容易に見比べることができない。そのため、タッチ式ユーザーインターフェースを操作する際に、ユーザーのタッチ動作をもって実行指示の入力が行われたと認識するような一般的な入力方法では、意図しない座標に対して実行指示を入力してしまい、意図しないアプリケーションを起動してしまう等の不都合が生じていた。
【０００５】
このような情報端末機器において、ユーザーが操作元に目を向けることなく操作できるようにする技術が、種々提案されている。例えば特許文献２には、入力操作する前に入力手段に割り当てられた機能をユーザーに認識させることで入力操作性を向上した情報処理装置等が開示されている。
【先行技術文献】
【特許文献】
【０００６】
【特許文献１】特許第４４６５２３１号公報
【特許文献２】特開２００４−３５５６０６号公報
【発明の概要】
【発明が解決しようとする課題】
【０００７】
しかしながら、特許文献１又は特許文献２に開示された技術では、一般的なタッチパッド上で行われるドラッグ操作やフリック操作を認識させることはできないという問題がある。
【０００８】
一般的なタッチ式ユーザーインターフェースは表示画面上に配置され、ユーザーは、表示画面に表示されているオブジェクトとユーザー自身による操作を同時見ながら操作すべき位置に操作体を運んで操作できる。ところが、タッチパッドが表示画面と分離して設けられる場合、ユーザーは、表示画面に表示されているオブジェクトに対して、タッチパッドにおいて自分が指定する位置が明確ではない状態で操作しなければならない。しかも、一般的なタッチパッドを操作する場合、タッチパッドに接触した瞬間にクリック操作となる。このように、タッチパッド及び表示画面が分離して設けられる場合、ユーザーは、自身が操作する指の位置が不明で、タッチパッドに接触した瞬間にクリック操作と判断されてしまうため、操作性が著しく低下するという問題があった。
【０００９】
本発明は、以上のような技術的課題に鑑みてなされたものである。本発明の幾つかの態様によれば、操作面と表示画面とが分離して設けられる場合でも、操作元に目を向けることなく多様な操作性を実現する情報処理装置等を提供することができる。
【課題を解決するための手段】
【００１０】
（１）本発明の第１の態様は、情報処理装置が、操作領域内の座標位置が表示装置による表示領域の座標位置に１対１で対応付けられ、前記表示装置による表示領域と分離して設けられている操作面を有し、前記操作面における操作体の接触位置及び前記操作面に対して所定以上の圧力が加えられたプレス状態か非プレス状態かを検出する入力装置と、前記操作面に対する前記操作体の操作に対応した処理を実行する処理装置とを含み、前記処理装置は、前記非プレス状態において前記操作体が前記操作面に接触状態のとき、前記表示領域内における前記接触位置に対応した表示位置に位置特定マークを第１の表示態様で表示し、前記操作体が前記操作面において前記プレス状態に移行したとき、前記位置特定マークを前記第１の表示態様と異なる第２の表示態様で表示し、前記プレス状態に移行した第１の接触位置から前記プレス状態のまま第２の接触位置に移動され、該第２の接触位置において前記非プレス状態に移行したとき、前記第１の接触位置及び前記第２の接触位置により決まるドラッグ操作に対応したドラッグ処理とフリック操作に対応したフリック処理とを区別して実行する。
【００１１】
本態様においては、操作領域内の座標位置が表示装置による表示領域の座標位置に１対１で対応付けられ、表示装置による表示領域と分離して設けられている操作面を有する入力装置が、操作面における操作体の接触位置及び操作面に対して所定以上の圧力が加えられたプレス状態か非プレス状態かを検出する。そして、非プレス状態において操作体が操作面に接触状態のとき、表示領域内における接触位置に対応した表示位置に位置特定マークを第１の表示態様で表示する。その一方、プレス状態に移行するとき、位置特定マークを第１の表示態様と異なる第２の表示態様で表示し、プレス状態に移行するときの接触位置と非プレス状態に移行するときの接触位置により決まる操作に対応した処理を行うようにしている。こうすることで、従来のように操作面への接触がクリック操作として扱われなくなり、操作するユーザーに、クリック操作の前に操作体の位置を教えることができる。更に、プレス状態及び非プレス状態と接触位置の移動とで、ドラッグ操作とフリック操作とに対応した処理を区別して実行するようにしたので、操作面と表示装置の表示領域とが分離された場合でも、ユーザーは、自身の操作元を見ることなく、多彩な情報の入力ができるようになる。また、ユーザーが操作元に目を向けることなく、自身の操作を簡単に判別しながら、多彩な情報の入力ができるようになる。
【００１２】
（２）本発明の第２の態様は、情報処理装置が、操作領域内の座標位置が表示装置による表示領域の座標位置に１対１で対応付けられる操作面を有し、前記操作面における操作体の接触位置及び前記操作面に対して所定以上の圧力が加えられたプレス状態か非プレス状態かを検出する入力装置と、前記操作面に対する前記操作体の操作に対応した処理を実行する処理装置とを含み、前記処理装置は、前記非プレス状態において前記操作体が前記操作面に接触状態のとき、前記表示領域内における前記接触位置に対応した表示位置に位置特定マークを表示すると共に、前記プレス状態のとき、前記表示領域内における前記接触位置に対応した表示位置においてクリック操作に対応したクリック処理を実行する。
【００１３】
本態様においては、操作領域内の座標位置が表示装置による表示領域の座標位置に１対１で対応付けられる操作面を有する入力装置が、操作面における操作体の接触位置及び操作面に対して所定以上の圧力が加えられたプレス状態か非プレス状態かを検出する。そして、非プレス状態において操作体が操作面に接触状態のとき、表示領域内における接触位置に対応した表示位置に位置特定マークを表示する。その一方、プレス状態のとき、表示領域内における接触位置に対応した表示位置においてクリック操作に対応したクリック処理を実行する。通常のペン入力デジタイザーのような入力装置は、ペンが操作面から離れていてもアイコンを表示する。これに対して、本態様においては、操作体を操作面から離すと位置特定マークが非表示になるが、該操作体を操作面に接触させたときに位置特定マークを表示させることができる。こうすることで、従来のように操作面への接触がクリック操作として扱われなくなり、操作するユーザーに、クリック操作の前に操作体の位置を教えることができ、表示領域内の接触位置に対応した表示位置における確定指示を行うことができる。また、操作面への操作体の接触と確定指示とを区別して情報の入力を受け付けることができ、操作面と表示装置の表示領域とが分離された場合でも、ユーザーは、自身の操作元を見ることなく、多彩な情報の入力ができるようになる。
【００１４】
（３）本発明の第３の態様に係る情報処理装置では、第２の態様において、前記処理装置は、前記プレス状態において所定の範囲内で前記接触位置が長クリック判定期間以上維持された後、前記非プレス状態に移行したとき、前記表示領域内における前記接触位置に対応した表示位置において長クリック操作に対応した長クリック処理を実行する。
【００１５】
本態様においては、プレス状態において接触位置が長クリック判定期間以上維持された後、非プレス状態に移行したとき、長クリック操作に対応した長クリック処理を行うようにしている。これにより、上記の効果に加えて、より一層多彩な情報入力が可能な情報処理装置を提供することができるようになる。
【００１６】
（４）本発明の第４の態様は、情報処理装置が、操作領域内の座標位置が表示装置による表示領域の座標位置に１対１で対応付けられる操作面を有し、前記操作面における操作体の接触位置及び前記操作面に対して所定以上の圧力が加えられたプレス状態か非プレス状態かを検出する入力装置と、前記操作面に対する前記操作体の操作に対応した処理を実行する処理装置とを含み、前記処理装置は、前記非プレス状態において前記操作体が前記操作面に接触状態のとき、前記表示領域内における前記接触位置に対応した表示位置に位置特定マークを表示すると共に、前記操作体が前記操作面において前記プレス状態に移行した第１の接触位置から前記プレス状態のまま第２の接触位置に移動され、該第２の接触位置において前記非プレス状態に移行したとき、前記第１の接触位置及び前記第２の接触位置により決まるドラッグ操作に対応したドラッグ処理又はフリック操作に対応したフリック処理を行う。
【００１７】
本態様においては、操作領域内の座標位置が表示装置による表示領域の座標位置に１対１で対応付けられる操作面を有する入力装置が、操作面における操作体の接触位置及び操作面に対して所定以上の圧力が加えられたプレス状態か非プレス状態かを検出する。そして、非プレス状態において操作体が操作面に接触状態のとき、表示領域内における接触位置に対応した表示位置に位置特定マークを表示する。その一方、プレス状態に移行するときの接触位置と非プレス状態に移行するときの接触位置により決まる操作に対応した処理を行うようにしている。こうすることで、従来のように操作面への接触がクリック操作として扱われなくなり、操作するユーザーに、クリック操作の前に操作体の位置を教えることができる。更に、プレス状態及び非プレス状態と接触位置の移動とで、ドラッグ操作又はフリック操作に対応した処理を行うようにしたので、操作面と表示装置の表示領域とが分離された場合でも、ユーザーは、自身の操作元を見ることなく、多彩な情報の入力ができるようになる。
【００１８】
（５）本発明の第５の態様に係る情報処理装置では、第４の態様において、前記処理装置は、前記第１の接触位置から前記第２の接触位置への単位時間当たりの移動量が所与の閾値以上のとき、前記フリック処理を行い、前記単位時間当たりの移動量が前記閾値未満のとき、前記ドラッグ処理を行う。
【００１９】
本態様によれば、ドラッグ操作及びフリック操作を区別して情報入力が可能となり、より一層多彩な情報入力が可能となる。
【００２０】
（６）本発明の第６の態様に係る情報処理装置では、第２の態様乃至第５の態様のいずれかにおいて、前記処理装置は、前記操作体が前記操作面に非接触状態のとき、前記表示領域内において前記位置特定マークを非表示にする処理を行う。
【００２１】
本態様によれば、操作面と表示装置の表示領域とが分離して設けられる場合でも、従来のスマートフォン等の操作と同様の操作を、操作元に目を向けることなく実現する情報処理装置を提供することができるようになる。
【００２２】
（７）本発明の第７の態様に係る情報処理装置では、第２の態様乃至第６の態様のいずれかにおいて、前記処理装置は、前記非プレス状態で前記接触状態のとき前記表示領域内に表示する位置特定マークと、前記プレス状態で前記接触状態のとき前記表示領域内に表示する位置特定マークとを異ならせる。
【００２３】
本態様によれば、ユーザーが操作元に目を向けることなく、自身の操作を簡単に判別しながら、多彩な情報の入力が可能な情報処理装置を提供することができるようになる。
【００２４】
（８）本発明の第８の態様に係る情報処理装置では、第１の態様乃至第７の態様のいずれかにおいて、前記処理装置は、前記表示領域内において前記位置特定マークと重なるオブジェクト又は背景画像を透過させて前記位置特定マークを表示する処理を行う。
【００２５】
本態様においては、ユーザーは操作元に目を向けることなく、表示領域内で位置特定マークを表示させる。このとき、ユーザーが位置特定マークを表示させた位置に元から存在したオブジェクト等を認識できるようになるので、ユーザーの操作性をより一層向上させることができるようになる。
【００２６】
（９）本発明の第９の態様に係る情報処理装置では、第１の態様乃至第８の態様のいずれかにおいて、前記入力装置は、前記操作面を有するタッチパッドと、前記タッチパットの可動を検知するように配置されたスイッチとを含み、前記操作面に前記圧力が加えられることにより前記スイッチが切り換えられ、前記スイッチの切り換え状態に応じて前記プレス状態又は前記非プレス状態を検出する。
【００２７】
本態様によれば、上記の効果を有する情報処理装置の構成の簡素化及び低コスト化を実現することができるようになる。
【００２８】
（１０）本発明の第１０の態様に係る情報処理装置では、第９の態様において、前記入力装置は、前記プレス状態のとき前記タッチパットの可動の位置を前記スイッチの切り換え位置に移動させ、前記非プレス状態のとき前記タッチパットの可動の位置を所定の位置に戻す１又は複数のクッション材を含む。
【００２９】
本態様によれば、非常に簡素な構成で、プレス状態か非プレス状態かを検出する入力装置を提供することができるようになり、上記の効果を有する情報処理装置の構成のより一層の簡素化及び低コスト化を実現することができるようになる。
【００３０】
（１１）本発明の第１１の態様に係る情報処理装置では、第１の態様乃至第１０の態様のいずれかにおいて、前記処理装置による処理結果が反映される前記表示装置を含む。
【００３１】
本態様によれば、表示装置を備え、操作面と表示装置の表示領域とが分離して設けられる場合でも、操作元に目を向けることなく多様な操作性を実現する情報処理装置を提供することができるようになる。
【００３２】
（１２）本発明の第１２の態様に係る情報処理装置では、第１１の態様において、前記表示装置は、ヘッドマウントディスプレイ装置である。
【００３３】
本態様によれば、その用途上、操作元に目を向けることが困難なヘッドマウントディスプレイ装置を見ながら情報を入力する場合でも、ユーザーが操作元に目を向けることなく多様な操作性を実現する情報処理装置を提供することができるようになる。
【図面の簡単な説明】
【００３４】
【図１】本発明の一実施形態に係る情報処理装置の構成例のブロック図。
【図２】図１の情報処理装置をユーザーが利用するイメージの一例を模式的に示す図。
【図３】図３（Ａ）は本実施形態において説明する入力装置の構成例を示す機能ブロック図。図３（Ｂ）は図３（Ａ）の一部の機能を外部に設けた場合の入力装置の構成例を示す機能ブロック図。
【図４】図４（Ａ）は図１の入力装置の操作面を上から見た模式図。図４（Ｂ）は図１の入力装置の背面から見た模式図。
【図５】図１の入力装置の操作面の説明図。
【図６】図６（Ａ）はユーザーが指を操作面に接触させない状態における図４（Ｂ）のＡ−Ａ´線に沿った断面構造を模式的に示す図。図６（Ｂ）はユーザーが指で操作面に圧力を加えた状態における図４（Ｂ）のＡ−Ａ´線に沿った断面構造を模式的に示す図。
【図７】図７（Ａ）は非プレス状態におけるポインターの表示例を示す図。図７（Ｂ）はプレス状態におけるポインターの表示例を示す図。
【図８】図８（Ａ）は指を操作面に接触させる前におけるポインティング操作の説明図。図８（Ｂ）は指を操作面に接触させたときのポインティング操作の説明図。図８（Ｃ）は指を操作面に接触させたまま水平移動させたときのポインティング操作の説明図。図８（Ｄ）は操作面から指を離したときのポインティング操作の説明図。
【図９】図９（Ａ）は指を操作面に接触させる前のクリック操作の説明図。図９（Ｂ）は指を操作面に接触させたときのクリック操作の説明図。図９（Ｃ）は指で操作面に圧力を加えたときのクリック操作の説明図。
【図１０】図１０（Ａ）は指で操作面に加えた圧力を弱めたときのクリック操作の説明図。図１０（Ｂ）は操作面から指を離したときのクリック操作の説明図。
【図１１】図１１（Ａ）は指を操作面に接触させる前のドラッグ操作の説明図。図１１（Ｂ）は指を操作面に接触させたときのドラッグ操作の説明図。図１１（Ｃ）は指で操作面に圧力を加えたときのドラッグ操作の説明図。
【図１２】図１２（Ａ）は指で操作面に圧力を変えながら接触位置を水平移動させるときのドラッグ操作の説明図。図１２（Ｂ）は操作面から指を離したときのドラッグ操作の説明図。
【図１３】図１の処理装置の構成例の機能ブロック図。
【図１４】図１３の処理装置のハードウェア構成例を示す図。
【図１５】処理装置の処理例のフロー図。
【図１６】処理装置の処理例のフロー図。
【図１７】図１６のドラッグ処理の処理例のフロー図。
【図１８】図１６のフリック処理の処理例のフロー図。
【図１９】図１の情報処理装置をユーザーが利用するイメージの他の例を模式的に示す図。
【発明を実施するための形態】
【００３５】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３６】
図１に、本発明の一実施形態に係る情報処理装置の構成例のブロック図を示す。
図２に、図１の情報処理装置をユーザーが利用するイメージの一例を模式的に示す。なお、図２では、本実施形態における情報処理装置に適用される表示装置が、ヘッドマウントディスプレイ装置（Head Mounted Display：以下、ＨＭＤ）である例を示すが、本実施形態に係る表示装置がＨＭＤに限定されるものではない。
【００３７】
図１に示すように、本実施形態における情報処理装置１０は、情報入力装置２０と、表示装置３０とを備え、有線又は無線の信号伝送路２２を介して情報入力装置２０及び表示装置３０が接続されている。情報入力装置２０には、ユーザーによる操作に対応した操作情報が入力される。表示装置３０は、情報入力装置２０に入力された操作情報に対応した画像を表示することで、該操作情報を反映した結果を表示する。
【００３８】
情報入力装置２０は、入力装置１００と、処理装置２００とを備える。入力装置１００は、操作面を有する。この操作面における操作領域内の座標位置は、表示装置３０による表示領域の座標位置に１対１で対応付けられる。また、入力装置１００は、操作面における操作体の接触位置及び操作面に対して所定以上の圧力が加えられたプレス状態か非プレス状態（操作面に対して所定以上の圧力が加えられていない状態）かを検出する。以下、操作体が、操作するユーザー自身の指として説明する。この場合、入力装置１００は、静電容量式のタッチパッドや抵抗膜式のタッチパネルを備えることができる。処理装置２００は、入力装置１００が備える操作面に対する指の操作に対応した処理を実行する。
【００３９】
このような構成において、処理装置２００は、操作面における指の接触位置及び該操作面に対して所定以上の圧力が加えられたか否かに基づいて、いわゆるポインティング操作、クリック操作、長クリック操作、ドラッグ操作、フリック操作を判別する。処理装置２００は、これらの操作を判別し、判別した操作に対応した処理を実行する。この処理装置２００の処理結果に対応した画像が、表示装置３０に表示される。
【００４０】
ユーザー２４は、図２に示すように、ＨＭＤにより実現される表示装置３０を頭部に装着する。ＨＭＤは、公知の構成を有するため、ＨＭＤについての詳細な説明は省略する。表示装置３０と情報入力装置２０とは、例えば有線の信号伝送路２２により接続される。情報入力装置２０においてユーザー２４によって情報が入力されたとき、その入力情報に対応した画像が、ＨＭＤの表示画面に表示される。即ち、操作面と表示画面とが分離して設けられる。ユーザー２４は、ＨＭＤの表示画面を見ることになるため、情報入力装置２０の操作面を見ながら操作することができない。
【００４１】
しかしながら、本実施形態では、ユーザー２４の指が入力装置１００の操作面に接触状態のとき、ＨＭＤの表示領域内における該接触位置に対応した表示位置にポインターを表示することで、ユーザー２４に指の位置を教えることができる。また、ユーザー２４は、指により入力装置１００の操作面に圧力を加えることにより、表示領域内の接触位置に対応した表示位置における確定指示を行うことができる。これにより、情報入力装置２０では、操作面への指の接触と確定指示とを区別して情報の入力が受け付けられる。これにより、ユーザー２４は、自身の操作元を見ることなく、多彩な情報の入力ができるようになる。
【００４２】
〔情報入力装置〕
以下、本実施形態における情報処理装置１０の情報入力装置２０を構成する入力装置１００及び処理装置２００について、詳細に説明する。
【００４３】
〔入力装置〕
図３（Ａ）、図３（Ｂ）に、図１の入力装置１００の構成例の機能ブロック図を示す。図３（Ａ）は、本実施形態において説明する入力装置の構成例を表す。図３（Ｂ）は、図３（Ａ）の一部の機能を外部に設けた場合の入力装置の構成例を表す。図３（Ａ）及び図３（Ｂ）において、図１と同様の部分には同一符号を付し、適宜説明を省略する。
【００４４】
情報入力装置２０を構成する入力装置１００は、図３（Ａ）に示すように、位置検出部１１０と、プレス検出部１２０とを備える。また、入力装置１００は、図３（Ｂ）に示すように位置検出部１１０を備え、図３（Ａ）のプレス検出部１２０の機能が入力装置１００の外部に設けられていてもよい。以下では、入力装置１００が、図３（Ａ）の構成を有するものとして説明する。
【００４５】
位置検出部１１０は、操作面における指の接触位置を検出し、該接触位置に対応した位置情報を処理装置２００に出力する。このような位置検出部１１０の機能は、例えば上記した静電容量式のタッチパッドにより実現される。静電容量式のタッチパッドでは、操作面に指が接触することによる静電容量の変化により接触位置が検出される。なお、位置検出部１１０の機能は、例えば上記した抵抗膜式のタッチパネルにより実現されてもよい。抵抗膜式のタッチパネルでは、圧力が加えられたフレキシブルな操作面が凹むことにより上部の電極と下部の電極が接触することにより位置が検出される。そのため、抵抗膜式のタッチパネルにおいて指の圧力により上部の電極と下部の電極が接触する状態が、静電容量式のタッチパッドにおいて操作面に指が接触した状態に対応する。
【００４６】
プレス検出部１２０は、指により入力装置１００の操作面に圧力を加えられたプレス状態か非プレス状態かを検出し、プレス状態か非プレス状態かを示すプレス情報を処理装置２００に出力する。このようなプレス検出部１２０の機能は、例えば次のような構成により実現される。
【００４７】
図４（Ａ）に、図１の入力装置１００の操作面を上から見た模式図を示す。図４（Ｂ）に、図１の入力装置１００の背面から見た模式図を示す。
図５に、図１の入力装置１００の操作面の説明図を示す。図５は、入力装置１００の操作面と図１の表示装置３０の表示画面との対応関係を表す。
【００４８】
図４（Ａ）に示すように、入力装置１００は、操作領域ＯＲが矩形形状である操作面ＡＲを有するタッチパッド１０２を備え、ユーザーは、操作面ＡＲ内の任意の位置に指２６を接触させて、表示装置３０の表示画面（表示領域）３２内の対応する位置を指定することができる。そのため、図５に示すように、タッチパッド１０２の操作面ＡＲの操作領域ＯＲ内の座標位置が、表示装置３０による表示画面３２内の座標位置に１対１で対応付けられる。なお、操作領域ＯＲが、操作面ＡＲの全面に設けられる構成であってもよい。例えば、ユーザーが指２６により指定したタッチパッド１０２の操作領域ＯＲ（原点は左上隅）内の座標位置Ｐ１（ｘ１,ｙ１）は、表示画面３２（原点は左上隅）内の座標位置Ｐ２（Ｘ１,Ｙ１）に１対１で対応する。タッチパッド１０２の操作面ＡＲの操作領域ＯＲの横幅をｗｘ、縦幅をｗｙ、表示画面３２の横幅をＷＸ、縦幅をＷＹとすると、次のような関係が成り立つ。
ｘ１／ｗｘ＝Ｘ１／ＷＸ  ・・・（１）
ｙ１／ｗｙ＝Ｙ１／ＷＹ  ・・・（２）
【００４９】
このような入力装置１００は、操作面ＡＲにおける接触位置に対応した絶対位置座標を位置情報として出力する。処理装置２００は、この位置情報を用いて、操作面ＡＲにおいてユーザーが指２６で指定した座標位置Ｐ１に対応した表示装置３０の表示画面３２内の座標位置Ｐ２に、位置特定マークとしてのポインターを表示する処理を行う。
【００５０】
ところで、図５において、表示画面３２内に、アイコンであるオブジェクトＯＢＪ１〜ＯＢＪ４が表示されている。オブジェクトＯＢＪ１は、カメラ撮影機能を実現するアプリケーションを起動するためのアイコンである。オブジェクトＯＢＪ２は、ブラウザーを起動するためのアイコンである。オブジェクトＯＢＪ３は、録音された音声メッセージを再生するアプリケーション、又は記録されたテキストメッセージを表示するアプリケーションを起動するためのアイコンである。オブジェクトＯＢＪ４は、電話機能を実現するアプリケーションを起動するためのアイコンである。オブジェクトＯＢＪ１〜ＯＢＪ４は、それぞれポインターで位置を合わせ、例えばクリック操作することで、対応するアプリケーションが起動される。或いは、オブジェクトＯＢＪ１〜ＯＢＪ４は、それぞれポインターで位置を合わせ、例えばドラッグ操作することで、対応するアイコンの表示位置が移動される。
【００５１】
入力装置１００は、タッチパッド１０２と底面との間に空間が設けられており、図４（Ｂ）に示すようにタッチパッド１０２の四隅付近にクッション材１０４が配置され、タッチパッド１０２はクッション材１０４により支持される構造を有している。また、この空間内には、押下スイッチ（広義には、スイッチ）１０６が配置され、タッチパッド１０２の操作面ＡＲに圧力が加えられることにより、タッチパッド１０２の操作面ＡＲの背面側に配置された押下スイッチ１０６の頭部が押圧される構造を有している。押下スイッチ１０６のオン状態又はオフ状態に対応した情報が、上記したプレス情報として処理装置２００に出力される。
【００５２】
図６（Ａ）、図６（Ｂ）に、図４（Ｂ）のＡ−Ａ´線に沿った断面構造を模式的に示す。図６（Ａ）は、ユーザーが指２６を操作面ＡＲに接触させない状態を模式的に表す。図６（Ｂ）は、ユーザーが指２６を操作面ＡＲに接触させ、操作面ＡＲに圧力を加えた状態を模式的に表す。なお、図６（Ａ）、図６（Ｂ）において、図４（Ａ）、図４（Ｂ）と同様の部分には同一符号を付し、適宜説明を省略する。
【００５３】
図６（Ａ）に示すように、入力装置１００は、操作面ＡＲを有するタッチパッド１０２と、表面にタッチパッド１０２が配置される可動体１０８と、可動体１０８の背面側に配置された押下スイッチ１０６とを備える。そして、タッチパッド１０２の操作面ＡＲに圧力が加えられることにより押下スイッチ１０６の押下が可能に構成され、押下スイッチ１０６の押下状態に応じてプレス情報が出力される。更に、入力装置１００は、プレス状態のとき可動体１０８の位置を押下スイッチ１０６の所定の押下位置に移動させ、非プレス状態のとき可動体１０８の位置を初期位置（所定の位置）に戻す１又は複数のクッション材１０４を備える。
【００５４】
なお、本実施形態では、押下スイッチ１０６は、非押下状態によりオフ状態となる初期位置と、押下状態によりオン状態となる押下位置との差が微小なスイッチである。また、本実施形態では、押下スイッチ１０６の頭部が、入力装置１００に設けられた空間を構成する底面に押下されるように押下スイッチ１０６が配置される。
【００５５】
こうすることで、指２６がタッチパッド１０２の操作面ＡＲに非接触状態のとき、可動体１０８及びタッチパッド１０２は、図６（Ａ）に示す初期位置となる。そして、指２６がタッチパッド１０２の操作面ＡＲに接触状態となって、更に圧力を加えると、例えばクッション材１０４が収縮して、可動体１０８及びタッチパッド１０２が沈み込み、可動体１０８の背面に設けられた押下スイッチ１０６が押圧される。
【００５６】
本実施形態における入力装置１００の構成は、図６（Ａ）及び図６（Ｂ）で説明した構成に限定されるものではない。タッチパッド１０２の端面側にスイッチを設けるようにしてもよく、タッチパッド１２０の可動がスイッチの切り換えに反映される構成であればよい。即ち、入力装置１００は、操作面ＡＲを有するタッチパッド１０２と、タッチパッド１０２の可動を検出するように配置されたスイッチとを含んで構成され、操作面ＡＲに圧力が加えられることにより該スイッチが切り換えられ、該スイッチの切り換え状態に応じてプレス状態又は非プレス状態を検出する。このとき、入力装置１００は、プレス状態のときタッチパット１０２の可動の位置をスイッチの切り換え位置に移動させ、非プレス状態のときタッチパット１０２の可動の位置を所定の位置に戻す１又は複数のクッション材１０４を備えることができる。
【００５７】
以上のように、本実施形態における入力装置１００は、操作面ＡＲにおける指の接触位置を検出する位置検出部１１０と、操作面ＡＲに所定上の圧力を加えられたプレス状態か非プレス状態かを検出するプレス検出部１２０とを備える。そして、この入力装置１００は、位置検出部１１０及びプレス検出部１２０のそれぞれが互いに独立して検出対象を検出する構成を有することができる。
【００５８】
ユーザーによるタッチパッド１０２へのプレス状態か非プレス状態かは、プレス情報を受け付けた処理装置２００が、表示装置３０に対する表示を変更することでユーザーに認識させることができる。
【００５９】
図７（Ａ）、図７（Ｂ）に、ポインターの表示例を示す。図７（Ａ）は、非プレス状態におけるポインターの表示例を表す。図７（Ｂ）は、プレス状態におけるポインターの表示例を表す。
【００６０】
処理装置２００は、入力装置１００からのプレス情報に基づいて、非プレス状態で指２６が操作面ＡＲに接触状態のときに表示画面３２に表示するポインターＰＴ１と、プレス状態で該接触状態のときに表示画面３２に表示するポインターＰＴ２とを異ならせる。処理装置２００は、例えば、ポインターＰＴ１はポインターＰＴ２より小さく表示画面３２に表示する処理を行う。以下、ポインターＰＴ１の表示をタッチ表示と表記し、ポインターＰＴ２の表示をプレス表示と表記する。なお、ポインターＰＴ１とポインターＰＴ２とのサイズを変更するのではなく、まったく異なるマークを表示させるようにしてもよい。
【００６１】
また、処理装置２００は、図５の操作面ＡＲの操作領域ＯＲの面積（ｗｘ×ｗｙ）に対する操作面ＡＲにおけるユーザーの指２６の接触面積（指の面積φ９ｍｍ程度）Ｒ１の比が、表示画面３２の面積（ＷＸ×ＷＹ）に対するポインターの表示面積Ｒ２より大きくなるように、ポインターを表示させることが望ましい。こうすることで、操作面ＡＲにおいて指２６で接触させる面積よりも、表示画面３２では小さく表示させることができるので、ユーザーは、所望のオブジェクト等に容易にポインターの位置を重ねることができるようになる。
Ｒ１／（ｗｘ×ｗｙ）＞Ｒ２／（ＷＸ×ＷＹ）  ・・・（３）
【００６２】
〔処理装置〕
処理装置２００は、上記した入力装置１００が有するタッチパッド１０２の操作面ＡＲに対するポインティング操作、クリック操作、長クリック操作、ドラッグ操作、フリック操作を判別する。処理装置２００は、非プレス状態において指２６が操作面ＡＲに接触した位置であるタッチ座標によりポインティング操作の判別を行う。また、処理装置２００は、非プレス状態からプレス状態に移行後にタッチ座標が移動せず、且つ、所定時間以下で非プレス状態に移行したときにクリック操作であると判別する。また、処理装置２００は、非プレス状態からプレス状態に移行後にタッチ座標が移動せず、且つ、所定時間以上経過したときに長クリック操作であると判別する。また、処理装置２００は、非プレス状態からプレス状態に移行後にタッチ座標が移動してから非プレス状態に移行したときにドラッグ操作であると判別する。なお、処理装置２００は、長クリック操作の後、プレス状態のままタッチ座標が変化した場合にも、ドラッグ操作であると判別する。更に、処理装置２００は、非プレス状態からプレス状態に移行後にタッチ座標が素早く移動してから非プレス状態に移行したときにフリック操作であると判別する。以上のように操作を判別した処理装置２００は、判別した操作に対応した処理を行い、表示装置３０の表示画面３２に処理結果を反映させる。
【００６３】
＜ポインティング操作＞
本実施形態におけるポインティング操作は、操作領域ＯＲにおけるユーザーの指２６の接触位置に対応したポインターを表示装置３０の表示画面３２に表示し、表示画面３２に配置されるオブジェクトにターゲットを合わせる操作である。
【００６４】
図８（Ａ）、図８（Ｂ）、図８（Ｃ）、図８（Ｄ）に、本実施形態におけるポインティング操作の説明図を示す。図８（Ａ）〜図８（Ｄ）のそれぞれは、入力装置１００に対するユーザーの操作状態と、この操作状態に対応した表示装置３０の表示画面３２とを対応付けて表す。なお、図８（Ａ）〜図８（Ｄ）において、タッチパッド１０２を簡略化して図示しており、図６（Ａ）、図６（Ｂ）、図７（Ａ）、図７（Ｂ）と同様の部分には同一符号を付し、適宜説明を省略する。
【００６５】
図８（Ａ）に示すように、入力装置１００において、タッチパッド１０２の操作面にユーザーの指２６が接触していない状態では、入力装置１００は、この状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。
【００６６】
図８（Ｂ）に示すように、入力装置１００において、タッチパッド１０２の操作面にユーザーの指２６が軽く接触した状態では、入力装置１００は、指２６の接触位置に対応した位置情報を処理装置２００に対して出力する。また、入力装置１００は、操作面が非プレス状態であることを示すプレス情報を処理装置２００に対して出力する。処理装置２００は、表示装置３０の表示画面３２における、操作面の接触位置に対応した表示位置に、ポインターＰＴをタッチ表示で表示する処理を行う。このとき、処理装置２００は、表示画面３２内においてポインターＰＴと重なるオブジェクト又は背景画像を透過させてポインターＰＴを表示する処理を行う。本実施形態では、ユーザーは操作元に目を向けることなく、表示領域内でポインターＰＴを表示させる。これにより、ユーザーがポインターＰＴを表示させた位置に元から存在したオブジェクトや背景画像を認識できるようになる。そのため、ユーザーは、いきなり表示されたポインターＰＴに重なるオブジェクト等を確認する操作等が不要となり、ユーザーの操作性をより一層向上させることができるようになる。
【００６７】
続いて、図８（Ｃ）に示すように、入力装置１００においてタッチパッド１０２の操作面に指２６が軽く接触した状態で水平移動させると、入力装置１００は、指２６の移動経路上の複数の接触位置のそれぞれに対応した位置情報を処理装置２００に対して出力する。また、入力装置１００は、指２６を水平移動させる間、操作面が非プレス状態であることを示すプレス情報を処理装置２００に対して出力する。処理装置２００は、表示装置３０の表示画面３２に、操作面のそれぞれの接触位置に対応した表示位置にポインターＰＴをタッチ表示で表示する処理を行う。これにより、表示画面３２内をポインターＰＴが移動するように表示される。
【００６８】
その後、図８（Ｄ）に示すように、入力装置１００においてタッチパッド１０２の操作面から指２６を離すと、入力装置１００は、指２６が操作面に非接触である状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。
【００６９】
このように処理装置２００は、ポインティング操作に対応するポインティング処理として、操作領域における指２６の接触位置に対応した表示装置３０の表示画面３２内の表示位置にポインターを表示する処理を行う。
【００７０】
以上のように、処理装置２００は、指２６が操作面に接触状態のとき、接触位置に対応した表示画面３２内における表示位置にポインターを表示すると共に、指２６が操作面に非接触状態のとき、表示画面３２内におけるポインターを非表示にする処理を行う。これにより、タッチパッド１０２に指２６が接触している間のみ、タッチパッド１０２の操作領域の接触位置に対応した表示装置３０の表示画面３２にポインターが表示される。
【００７１】
＜クリック操作＞
本実施形態におけるクリック操作は、ユーザーの指２６により操作面に圧力を加えることにより押下スイッチ１０６を押下してオン状態とし、操作領域における指２６の接触位置を維持したまま短時間で押下スイッチ１０６のオン状態を解除する操作である。
【００７２】
図９（Ａ）、図９（Ｂ）、図９（Ｃ）、図１０（Ａ）、図１０（Ｂ）に、本実施形態におけるクリック操作の説明図を示す。図９（Ａ）〜図９（Ｃ）、図１０（Ａ）、図１０（Ｂ）のそれぞれは、入力装置１００に対するユーザーの操作状態と、この操作状態に対応した表示装置３０の表示画面３２とを対応付けて表す。なお、図９（Ａ）〜図９（Ｃ）、図１０（Ａ）、図１０（Ｂ）において、図８（Ａ）〜図８（Ｄ）と同様の部分には同一符号を付し、適宜説明を省略する。
【００７３】
図９（Ａ）に示すように、入力装置１００において、タッチパッド１０２の操作面にユーザーの指２６が接触していない状態では、入力装置１００は、この状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。
【００７４】
図９（Ｂ）に示すように、入力装置１００において、タッチパッド１０２の操作面にユーザーの指２６が軽く接触した状態では、入力装置１００は、指２６の接触位置に対応した位置情報を処理装置２００に対して出力する。また、入力装置１００は、操作面が非プレス状態であることを示すプレス情報を処理装置２００に対して出力する。処理装置２００は、表示装置３０の表示画面３２における、操作領域の接触位置に対応した表示位置に、ポインターＰＴをタッチ表示で表示する処理を行う。このとき、処理装置２００は、表示画面３２内においてポインターＰＴと重なるオブジェクト又は背景画像を透過させてポインターＰＴを表示する処理を行う。
【００７５】
続いて、図９（Ｃ）に示すように、入力装置１００において指２６によりタッチパッド１０２の操作面に圧力を加えると、タッチパッド１０２が押下位置に下がり、タッチパッド１０２の背面側に配置された押下スイッチ１０６が押圧される。入力装置１００は、操作領域内の指２６の接触位置に対応した位置情報を処理装置２００に対して出力する。また、入力装置１００は、操作面がプレス状態であることを示すプレス情報を処理装置２００に対して出力する。処理装置２００は、表示装置３０の表示画面３２に、操作領域の接触位置に対応した表示位置にポインターＰＴをプレス表示で表示する処理を行う。これにより、ポインターＰＴが、タッチ表示からプレス表示に変化する。
【００７６】
その後、図１０（Ａ）に示すように、入力装置１００において操作領域における指２６の接触位置を変化させないまま接触させた状態で、操作面に加える圧力を弱めると、押下スイッチ１０６の位置が初期位置に戻る。このとき、入力装置１００は、操作領域における指２６の接触位置に対応した位置情報を処理装置２００に対して出力する。また、入力装置１００は、操作面が非プレス状態であることを示すプレス情報を処理装置２００に対して出力する。処理装置２００は、表示装置３０の表示画面３２に、操作領域の接触位置に対応した表示位置にポインターＰＴをタッチ表示で表示する処理を行う。これにより、ポインターＰＴが、プレス表示からタッチ表示に変化する。
【００７７】
そして、図１０（Ｂ）に示すように、入力装置１００においてタッチパッド１０２の操作面から指２６を離すと、入力装置１００は、指２６が操作面に非接触である状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。
【００７８】
ここで、処理装置２００は、クリック操作に対応するクリック処理として、プレス表示されたときのポインターＰＴの表示位置にあるオブジェクトに対応したアプリケーションを起動する処理や、該表示位置にあるスピンボタンによる数値表示を更新する処理を行う。
【００７９】
以上のように、押下スイッチ１０６の押下が従来のタッチパッドの操作面への指の接触に相当し、押下スイッチ１０６の押下の解除が従来のタッチパッドの操作面から指を離す操作に相当する。
【００８０】
即ち、処理装置２００は、非プレス状態において指２６が操作面に接触状態のとき、表示画面３２内における接触位置に対応した表示位置にポインターを表示する。更に処理装置２００は、プレス状態のとき、表示画面３２内における接触位置に対応した表示位置においてクリック操作に対応したクリック処理を実行することができる。
【００８１】
＜長クリック操作＞
本実施形態における長クリック操作は、押下スイッチ１０６を押下し、操作領域内の指２６の接触位置を所定の長クリック判定時間以上維持したまま、その接触位置で押下スイッチ１０６の押下を解除する操作である。このような長クリック操作は、上記のクリック操作と同様であるため、詳細な説明を省略する。
【００８２】
この場合、押下スイッチ１０６の押下が従来のタッチパッドの操作面への指の接触に相当し、押下スイッチ１０６の押下の解除が従来のタッチパッドの操作面から指を離す操作に相当する。
【００８３】
即ち、処理装置２００は、プレス状態において、所定の範囲内で接触位置が長クリック判定期間以上維持された後、非プレス状態に移行したとき、接触位置に対応した表示領域内における表示位置において長クリック操作に対応した長クリック処理を実行する。
【００８４】
＜ドラッグ操作＞
本実施形態におけるドラッグ操作は、押下スイッチ１０６を押下し、操作面における指２６の接触位置を第１の期間以上維持（固定）した後、指２６の接触位置を移動させて、押下スイッチ１０６を押下したときと別の位置でタッチパッド１０２から指２６を離す操作である。
【００８５】
図１１（Ａ）、図１１（Ｂ）、図１１（Ｃ）、図１２（Ａ）、図１２（Ｂ）に、本実施形態におけるドラッグ操作の説明図を示す。図１１（Ａ）〜図１１（Ｃ）、図１２（Ａ）、図１２（Ｂ）のそれぞれは、入力装置１００に対するユーザーの操作状態と、この操作状態に対応した表示装置３０の表示画面３２とを対応付けて表す。なお、図１１（Ａ）〜図１１（Ｃ）、図１２（Ａ）、図１２（Ｂ）において、図８（Ａ）〜図８（Ｄ）と同様の部分には同一符号を付し、適宜説明を省略する。
【００８６】
図１１（Ａ）に示すように、入力装置１００において、タッチパッド１０２の操作面にユーザーの指２６が接触していない状態では、入力装置１００は、この状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。
【００８７】
図１１（Ｂ）に示すように、入力装置１００において、タッチパッド１０２の操作面にユーザーの指２６が軽く接触した状態では、入力装置１００は、指２６の接触位置に対応した位置情報を処理装置２００に対して出力する。また、入力装置１００は、操作面が非プレス状態であることを示すプレス情報を処理装置２００に対して出力する。処理装置２００は、表示装置３０の表示画面３２における、操作領域の接触位置に対応した表示位置に、ポインターＰＴをタッチ表示で表示する処理を行う。このとき、処理装置２００は、表示画面３２内においてポインターＰＴと重なるオブジェクト又は背景画像を透過させてポインターＰＴを表示する処理を行う。ここで、ポインターＰＴの表示位置が、ドラッグ操作可能なオブジェクトの位置にあるものとする。
【００８８】
続いて、図１１（Ｃ）に示すように、入力装置１００において指２６によりタッチパッド１０２の操作面に圧力を加えると、タッチパッド１０２が押下位置に下がり、タッチパッド１０２の背面側に配置された押下スイッチ１０６が押圧される。入力装置１００は、操作領域内の指２６の接触位置に対応した位置情報を処理装置２００に対して出力する。また、入力装置１００は、操作面がプレス状態であることを示すプレス情報を処理装置２００に対して出力する。処理装置２００は、表示装置３０の表示画面３２における、操作領域の接触位置に対応した表示位置に、ポインターＰＴをプレス表示で表示する処理を行う。これにより、ポインターＰＴが、タッチ表示からプレス表示に変化する。図１１（Ｂ）及び図１１（Ｃ）では、ポインターＰＴが透過してタッチ表示されるため、ポインターＰＴがオブジェクトＯＢＪ３（図５参照）と重なることを認識しながらユーザーは操作することができる。
【００８９】
ここで、操作面に圧力を加えながら、指２６の接触位置を第１の期間以上維持したまま待つ。これにより、ポインターＰＴの位置にあるオブジェクトがドラッグされた状態に表示され、ドラッグ操作に対応したドラッグ処理が開始される。
【００９０】
その後、図１２（Ａ）に示すように、入力装置１００において操作面に圧力を加えながら、操作領域における指２６の接触位置を水平移動させる。このとき、入力装置１００は、指２６の移動経路上の複数の接触位置のそれぞれに対応した位置情報を処理装置２００に対して出力する。また、入力装置１００は、指２６を水平移動させる間、操作面がプレス状態であることを示すプレス情報を処理装置２００に対して出力する。処理装置２００は、表示装置３０の表示画面３２における、操作領域のそれぞれの接触位置に対応した表示位置に、ポインターＰＴをプレス表示で表示し、ドラッグしたオブジェクトをドラッグした状態でポインターＰＴに追従させて表示する処理を行う。これにより、表示画面３２内をポインターＰＴがプレス表示のまま移動し、対応するオブジェクトのドラッグ処理が行われる。
【００９１】
そして、図１２（Ｂ）に示すように、入力装置１００においてタッチパッド１０２の操作面から指２６を離すと、入力装置１００は、指２６が操作面に非接触である状態に対応した位置情報を処理装置２００に対して出力する。また、入力装置１００は、操作面が非プレス状態であることを示すプレス情報を処理装置２００に対して出力する。処理装置２００は、表示装置３０の表示画面３２にポインターを非表示とする処理を行う。この操作面に対して非接触となった接触位置に対応した表示画面３２内における表示位置において、ドラッグして移動させたオブジェクトを通常表示に戻し、ドラッグ処理を終了する。
【００９２】
ここで、処理装置２００は、ドラッグ操作に対応するドラッグ処理として、ポインターＰＴの位置にあるオブジェクト（アイコン等）を移動させる処理や、画面全体をスクロースさせる処理を行う。
【００９３】
以上のように、押下スイッチ１０６の押下が従来のタッチパッドの操作面への指の接触に相当し、押下スイッチ１０６の押下の解除が従来のタッチパッドの操作面から指を離す操作に相当する。
【００９４】
即ち、指２６が操作面においてプレス状態に移行した第１の接触位置からプレス状態のまま第２の接触位置に移動され、該第２の接触位置において非プレス状態に移行したものとする。このとき、処理装置２００は、第１の接触位置及び第２の接触位置により決まるドラッグ操作に対応したドラッグ処理を行う。このドラッグ処理は、プレス状態において接触位置が第１の接触位置に対応した表示画面３２内における表示位置のオブジェクトに対して行われる。そして、処理装置２００は、プレス状態から非プレス状態に移行するときの接触位置である第２の接触位置に対応した表示画面３２内における表示位置においてドラッグ処理を終了する。
【００９５】
＜フリック操作＞
本実施形態におけるフリック操作は、押下スイッチ１０６を押下し、短時間で操作面における指２６の接触位置を移動させて、押下スイッチ１０６を押下した位置とは別の接触位置でタッチパッド１０２から指２６を離す操作である。このようなフリック操作の手順は、上記のドラッグ操作の手順とほぼ同様である。具体的には、指２６が操作面においてプレス状態に移行した第１の接触位置に所定期間以上維持された後、プレス状態のまま第２の接触位置に移動され、該第２の接触位置において非プレス状態に移行したものとする。このとき、処理装置２００は、第１の接触位置及び第２の接触位置により決まるフリック操作に対応したフリック処理を行う。より具体的には、ドラッグ処理とフリック処理は、第１の接触位置から第２の接触位置への単位時間当たりの移動量に基づいて区別されて実行される。そのため、フリック操作については詳細な説明を省略する。
【００９６】
ここで、処理装置２００は、フリック操作に対応するフリック処理として、指の移動方向に画面をスクロールする処理や、画面を切り替える処理を行う。
【００９７】
この場合、押下スイッチ１０６の押下が従来のタッチパッドの操作面への指の接触に相当し、押下スイッチ１０６の押下の解除が従来のタッチパッドの操作面から指を離す操作に相当する。
【００９８】
即ち、第１の接触位置から第２の接触位置への単位時間当たりの移動量が所与の閾値以上のとき、処理装置２００は、フリック処理を行う。一方、この単位時間当たりの移動量が上記の閾値未満のとき、処理装置２００は、ドラッグ処理を行う。
【００９９】
次に、上記した処理装置２００の機能を実現する構成例について説明する。
【０１００】
図１３に、図１の処理装置２００の構成例の機能ブロック図を示す。図１３において、図１と同様の部分には同一符号を付し、適宜説明を省略する。
【０１０１】
処理装置２００は、接触判定部２１０と、位置検出処理部２２０と、プレス判定部２３０と、操作判定部２４０と、処理実行部２６０と、表示処理部２８０とを備える。操作判定部２４０は、クリック操作判定部２４２と、長クリック操作判定部２４４と、ドラッグ操作判定部２４６と、フリック操作判定部２４８とを備える。処理実行部２６０は、クリック処理部２６２と、長クリック処理部２６４と、ドラッグ処理部２６６と、フリック処理部２６８とを備える。
【０１０２】
接触判定部２１０は、入力装置１００からの位置情報に基づいて、入力装置１００の操作面に指２６が接触状態か、非接触状態かを判定する。例えば、非接触状態のときに入力装置１００が出力する位置情報を予め決めておくことで、接触判定部２１０は、入力装置１００からの位置情報に基づいて、接触状態か非接触状態かを判定することができる。位置検出処理部２２０は、入力装置１００からの位置情報に基づいて、操作領域内の指２６の接触位置の座標を検出する処理を行う。
【０１０３】
プレス判定部２３０は、入力装置１００からのプレス情報に基づいて、操作面に所定以上の圧力が加えられてタッチパッド１０２が押下位置に下がり、押下スイッチ１０６を押下したか否かを判定する。押下スイッチ１０６は、押下されたときオン状態となり、押下スイッチ１０６の押下が解除されたときオフ状態となる。プレス判定部２３０は、押下スイッチ１０６がオン状態であるオフ状態であるか否かによってプレス状態か否かを判定し、押下スイッチ１０６がオン状態のときプレス状態と判定し、押下スイッチ１０６がオフ状態のとき非プレス状態と判定する。
【０１０４】
操作判定部２４０は、入力装置１００からの位置情報及びプレス情報に基づいて、操作面に対する指２６の操作が、上記したポインティング操作、クリック操作、長クリック操作、ドラッグ操作、及びフリック操作のうち、どの操作であるかを判定する。
【０１０５】
具体的には、クリック操作判定部２４２は、図９（Ａ）〜図９（Ｃ）、図１０（Ａ）及び図１０（Ｂ）で説明したクリック操作であるか否かを、入力装置１００からの位置情報及びプレス情報に基づいて判定する。長クリック操作判定部２４４は、上記した長クリック操作であるか否かを、入力装置１００からの位置情報及びプレス情報に基づいて判定する。ドラッグ操作判定部２４６は、図１１（Ａ）〜図１１（Ｃ）、図１２（Ａ）及び図１２（Ｂ）で説明したドラッグ操作であるか否かを、入力装置１００からの位置情報及びプレス情報に基づいて判定する。フリック操作判定部２４８は、上記したフリック操作であるか否かを、入力装置１００からの位置情報及びプレス情報に基づいて判定する。
【０１０６】
処理実行部２６０は、操作判定部２４０によって判定された操作に対応した処理を実行する。具体的には、クリック処理部２６２は、ユーザーの指２６による操作がクリック操作判定部２４２によってクリック操作であると判定されたとき、クリック操作に対応した上記のクリック処理を実行する。長クリック処理部２６４は、ユーザーの指２６による操作が長クリック操作判定部２４４によって長クリック操作であると判定されたとき、長クリック操作に対応した上記の長クリック処理を実行する。ドラッグ処理部２６６は、ユーザーの指２６による操作がドラッグ操作判定部２４６によってドラッグ操作であると判定されたとき、ドラッグ操作に対応した上記のドラッグ処理を実行する。フリック処理部２６８は、ユーザーの指２６による操作がフリック操作判定部２４８によってフリック操作であると判定されたとき、フリック操作に対応した上記のフリック処理を実行する。
【０１０７】
表示処理部２８０は、処理実行部２６０を構成する各部の処理結果に対応した画像を生成し、該画像を表示装置３０に表示する処理を行う。また、ポインティング操作について、処理装置２００は、例えば位置検出処理部２２０によって検出された操作領域内の接触位置の座標に対応した表示画面３２の表示位置の座標を求め、表示処理部２８０において該表示位置にポインターを表示する処理を行う。
【０１０８】
図１３の各部の機能を有する処理装置２００は、例えば、以下のような構成により実現される。
図１４に、図１３の処理装置２００のハードウェア構成例を示す。なお、図１４において、図１、図６（Ａ）又は図６（Ｂ）と同様の部分には同一符号を付し、適宜説明を省略する。
【０１０９】
情報入力装置２０は、入力装置１００及び処理装置２００の他に、バッテリー３２０と、ＵＳＢ（Universal Serial Bus）ソケット３２２と、表示ＬＥＤ（Light Emitting Diode）３２４とを備えることができる。バッテリー３２０は、入力装置１００と処理装置２００の各部に電源を供給する。なお、バッテリー３２０は、情報入力装置２０の外部に設けられていてもよい。ＵＳＢソケット３２２には、ＵＳＢケーブルが接続され、処理装置２００の制御により外部との間でデータの送受信が行われるようになっている。表示ＬＥＤ３２４は、入力装置１００又は処理装置２００の動作状態に対応した表示を行う。
【０１１０】
処理装置２００は、中央演算処理装置（Central Processing Unit：以下、ＣＰＵ）３０２と、読み出し専用メモリー（Read Only Memory：以下、ＲＯＭ）３０４と、ランダムアクセスメモリー（Random Access Memory：以下、ＲＡＭ）とを備える。更に、処理装置２００は、インターフェース（InterFace：以下、Ｉ／Ｆ）回路３０６と、バス３０８とを備える。ＣＰＵ３０２、ＲＯＭ３０４、ＲＡＭ３０６、及びＩ／Ｆ回路３０６は、バス３０８を介して接続される。
【０１１１】
ＣＰＵ３００は、ＲＯＭ３０２又はＲＡＭ３０４に記憶されたプログラム又はデータを読み出し、読み出したプログラム又はデータに対応した処理を実行する。ＲＯＭ３０２は、ＣＰＵ３００が実行するプログラムを記憶する。ＲＡＭ３０４には、ＣＰＵ３００が実行するプログラムが記憶されたり、ＣＰＵ３００の作業領域が確保されたりする。Ｉ／Ｆ回路３０６は、入力装置１００からの位置情報及びプレス情報を受信するためのインターフェース処理を行う。また、Ｉ／Ｆ回路３０６は、表示装置３０に表示する表示画像に対応した画像データや表示制御信号を、表示装置３０に送信するためのインターフェース処理を行う。
【０１１２】
このような構成において、ＣＰＵ３００は、ＲＯＭ３０２又はＲＡＭ３０４から読み出したプログラム等に対応した処理を実行することで、図１３の各部の機能をソフトウェア処理により実現することができる。例えば、ＣＰＵ３００は、Ｉ／Ｆ回路３０６を介して受信した入力装置１００からの位置情報に基づく操作領域内の指の接触位置の座標の検出をソフトウェア処理で実現することができる。或いは、ＣＰＵ３００は、Ｉ／Ｆ回路３０６を介して受信した入力装置１００からのプレス情報に基づいて、操作面がプレス状態か非プレス状態かの検出をソフトウェア処理で実現することができる。また、ＣＰＵ３００は、各部の処理結果に対応した画像データ及び表示制御信号をＩ／Ｆ回路３０６を介して表示装置３０に対して出力する。こうすることで、表示装置３０の表示画面の所望の位置にポインターを表示したり、操作面に対する上記の操作に対応した処理結果を表示画面に表示したりすることができる。
【０１１３】
図１５及び図１６に、処理装置２００の処理例のフロー図を示す。例えば図１４のＲＯＭ３０２又はＲＡＭ３０４には、図１５及び図１６の各ステップを実行するためのプログラムが予め記憶されており、ＣＰＵ３００が該プログラムを読み出して、プログラムに対応した処理を実行する。
【０１１４】
まず、処理装置２００は、接触判定部２１０において、入力装置１００の操作面に、操作するユーザーの指が操作面に接触したか否かを繰り返し判定する（ステップＳ１００：Ｎ）。ステップＳ１００において、指が操作面に接触したと判定されたとき（ステップＳ１００：Ｙ）、処理装置２００は、位置検出処理部２２０において、操作領域内の指の接触位置の座標を検出する処理を行う（ステップＳ１０２）。
【０１１５】
続いて、処理装置２００は、位置検出処理部２２０において、ステップＳ１０２で検出された操作領域内の指の接触位置の座標を（ｘ１,ｙ１）を、表示装置３０の表示画面の座標（Ｘ１,Ｙ１）に変換する（ステップＳ１０４）。ステップＳ１０４では、操作領域の縦横比と表示画面の縦横比とが異なるため、例えば次式により表示画面の座標が変換される。
Ｘ１＝ｘ１×（ＷＸ／ｗｘ）  ・・・（４）
Ｙ１＝ｙ１×（ＷＹ／ｗｙ）  ・・・（５）
【０１１６】
式（４）及び式（５）において、操作領域の横幅をｗｘ、縦幅をｗｙ、表示画面の横幅をＷＸ、縦幅をＷＹとしている。
【０１１７】
その後、処理装置２００は、表示処理部２８０において、ステップＳ１０４で変換された座標にポインターをタッチ表示で表示する（ステップＳ１０６）。
【０１１８】
次に、処理装置２００は、プレス判定部において、入力装置１００における操作面の背面側に配置された押下スイッチ１０６が押下されたか否かを判定する（ステップＳ１０８）。ステップＳ１０８において押下スイッチ１０６が押下されていないと判定されたとき（ステップＳ１０８：Ｎ）、処理装置２００は、ステップＳ１０２に戻る。一方、ステップＳ１０８において押下スイッチ１０６が押下されたと判定されたとき（ステップＳ１０８：Ｙ）、処理装置２００は、表示処理部２８０において、表示画面上のポインターをプレス表示に変更する（ステップＳ１１０）。
【０１１９】
引き続き、処理装置２００は、位置検出処理部２２０において、操作領域内の指の接触位置の座標を検出する処理を行う（ステップＳ１１２）。そして、処理装置２００は、ステップＳ１１２で検出された操作領域内の指の接触位置の座標を（ｘ１,ｙ１）を、表示装置３０の表示画面の座標（Ｘ１,Ｙ１）に変換する（ステップＳ１１４）。ステップＳ１１４は、ステップＳ１０４と同様である。
【０１２０】
その後、処理装置２００は、表示処理部２８０において、ステップＳ１１４で変換された座標にポインターをプレス表示で表示を継続する（ステップＳ１１６）。
【０１２１】
次に、処理装置２００は、操作判定部２４０において、操作領域内の指の接触位置に対応した座標が前回の検出時の座標と比較して変化したか否かを判定する（ステップＳ１１８）。ステップＳ１１８において、座標が変化したと判定されたとき（ステップＳ１１８：Ｙ）、処理装置２００は、操作判定部２４０において、単位時間当たりの座標の変化量（接触位置の移動量）が所与の閾値以上であるか否かを判定する（ステップＳ１２０）。ステップＳ１２０は、例えばドラッグ操作判定部２４６又はフリック操作判定部２４８において行われる。
【０１２２】
ステップＳ１２０において、単位時間当たりの座標の変化量が閾値以上であると判定されたとき（ステップＳ１２０：Ｙ）、処理装置２００は、フリック処理部２６８において、フリック操作に対応する上記のフリック処理を行う（ステップＳ１２２）。ステップＳ１２２では、操作領域における移動前後の接触位置（座標）（例えば接触位置の移動距離、移動方向等）に応じたフリック処理が行われる。
【０１２３】
ステップＳ１２０において、単位時間当たりの座標の変化量が閾値未満であると判定されたとき（ステップＳ１２０：Ｎ）、処理装置２００は、ドラッグ処理部２６６において、ドラッグ操作に対応する上記のドラッグ処理を行う（ステップＳ１２４）。ステップＳ１２４では、操作領域における移動前後の接触位置（座標）（例えば接触位置の移動距離、移動方向等）に応じたドラッグ処理が行われる。
【０１２４】
ステップＳ１１８において、座標が変化していないと判定されたとき（ステップＳ１１８：Ｎ）、処理装置２００は、操作判定部２４０において、押下スイッチ１０６の押下から所定時間以上経過したか否かを判定する（ステップＳ１２６）。ステップＳ１２６は、例えばクリック操作判定部２４２又は長クリック操作判定部２４４において行われる。
【０１２５】
ステップＳ１２６において、押下スイッチ１０６の押下から所定時間以上経過したと判定されたとき（ステップＳ１２６：Ｙ）、処理装置２００は、長クリック操作判定部２４４において、長クリック操作中か否かを判定する（ステップＳ１２８）。ステップＳ１２８において長クリック操作中ではないと判定されたとき（ステップＳ１２８：Ｎ）、処理装置２００は、長クリック処理部２６４において、長クリック操作に対応する上記の長クリック処理を開始し（ステップＳ１４０）、ステップＳ１１２に戻る。これにより、長クリック処理を継続する。
【０１２６】
ステップＳ１２６において、所定の時間以上経過していないと判定されたとき（ステップＳ１２６：Ｎ）、処理装置２００は、クリック操作判定部２４２において、押下スイッチ１０６の押下が解除されたか否かを判定する（ステップＳ１３０）。また、ステップＳ１２８において長クリック操作中であると判定されたとき（ステップＳ１２８：Ｙ）、処理装置２００は、クリック操作判定部２４２において、押下スイッチ１０６の押下が解除されたか否かを判定する（ステップＳ１３０）。
【０１２７】
ステップＳ１３０において、押下スイッチ１０６の押下が解除されたと判定されたとき（ステップＳ１３０：Ｙ）、処理装置２００は、クリック操作判定部２４２において、長クリック操作中か否かを判定する（ステップＳ１３２）。
【０１２８】
ステップＳ１３２において長クリック操作中であると判定されたとき（ステップＳ１３２：Ｙ）、処理装置２００は、長クリック処理部２６４において行われる長クリック処理を終了させる（ステップＳ１３４）。ステップＳ１３２において長クリック操作中ではないと判定されたとき（ステップＳ１３２：Ｎ）、処理装置２００は、クリック処理部２６２において、クリック操作に対応する上記のクリック処理を行う（ステップＳ１３６）。
【０１２９】
ステップＳ１３０において、押下スイッチ１０６の押下が解除されていないと判定されたとき（ステップＳ１３０：Ｎ）、処理装置２００は、ステップＳ１１２に戻って処理を継続する。
【０１３０】
ステップＳ１３４又はステップＳ１３６に続いて、処理装置２００は、表示処理部２８０において、表示画面上のポインターをタッチ表示に変更する（ステップＳ１３８）。
【０１３１】
ステップＳ１２２、ステップＳ１２４、又はステップＳ１３８に続いて、処理装置２００は、接触判定部２１０において、入力装置１００の操作面において指が非接触となったか否かを判定する（ステップＳ１４２）。
【０１３２】
ステップＳ１４２において、操作面において指が非接触になっていないと判定されたとき（ステップＳ１４２：Ｎ）、処理装置２００は、ステップＳ１０２に戻って処理を継続する。
【０１３３】
一方、ステップＳ１４２において、操作面において指が非接触になったと判定されたとき（ステップＳ１４２：Ｙ）、処理装置２００は、表示処理部２８０において、表示画面上のポインターを非表示とする処理を行う（ステップＳ１４４）。これにより、処理装置２００は、一連の処理を終了する（エンド）。
【０１３４】
図１７に、図１６のステップＳ１２４におけるドラッグ処理の処理例のフロー図を示す。例えば図１４のＲＯＭ３０２又はＲＡＭ３０４には、図１７の各ステップを実行するためのプログラムが予め記憶されており、ＣＰＵ３００が該プログラムを読み出して、プログラムに対応した処理を実行する。
【０１３５】
処理装置２００は、位置検出処理部２２０において、操作領域内の指の接触位置の座標を検出する処理を行う（ステップＳ１５０）。次に、処理装置２００は、位置検出処理部２２０において、ステップＳ１５０で検出された操作領域内の指の接触位置の座標を（ｘ１,ｙ１）を、表示装置３０の表示画面の座標（Ｘ１,Ｙ１）に変換する（ステップＳ１５２）。ステップＳ１５２は、ステップＳ１０４と同様である。
【０１３６】
その後、処理装置２００は、表示処理部２８０において、ステップＳ１５２で変換された座標にポインターをプレス表示で表示を継続する（ステップＳ１５４）。
【０１３７】
続いて、処理装置２００は、ドラッグ処理部２６６において、ステップＳ１５２で変換された座標に応じて、ドラッグ処理を行う（ステップＳ１５６）。例えば、該座標にオブジェクトが存在するとき、該オブジェクトをドラッグしながら表示する処理を行う。
【０１３８】
そして、処理装置２００は、ドラッグ操作判定部２４６において、押下スイッチ１０６の押下が解除されたか否かを判定する（ステップＳ１５８）。
【０１３９】
押下スイッチ１０６の押下が解除されていないと判定されたとき（ステップＳ１５８：Ｎ）、処理装置２００は、ステップＳ１５０に戻り処理を継続する。一方、ステップＳ１５８において、押下スイッチ１０６の押下が解除されたと判定されたとき（ステップＳ１５８：Ｙ）、処理装置２００は、ドラッグ処理を終了する（エンド）。
【０１４０】
図１８に、図１６のステップＳ１２２におけるフリック処理の処理例のフロー図を示す。例えば図１４のＲＯＭ３０２又はＲＡＭ３０４には、図１８の各ステップを実行するためのプログラムが予め記憶されており、ＣＰＵ３００が該プログラムを読み出して、プログラムに対応した処理を実行する。
【０１４１】
処理装置２００は、位置検出処理部２２０において、操作領域内の指の接触位置の座標を検出する処理を行う（ステップＳ１６０）。次に、処理装置２００は、位置検出処理部２２０において、ステップＳ１６０で検出された操作領域内の指の接触位置の座標を（ｘ１,ｙ１）を、表示装置３０の表示画面の座標（Ｘ１,Ｙ１）に変換する（ステップＳ１６２）。ステップＳ１６２は、ステップＳ１０４と同様である。
【０１４２】
その後、処理装置２００は、表示処理部２８０において、ステップＳ１６２で変換された座標にポインターをプレス表示で表示を継続する（ステップＳ１６４）。
【０１４３】
続いて、処理装置２００は、フリック処理部２６８において、ステップＳ１６２で変換された座標に応じて、フリック処理を行う（ステップＳ１６６）。例えば、指の移動方向に画面をスクロールする処理や、画面を切り替える処理を行う。
【０１４４】
そして、処理装置２００は、フリック操作判定部２４８において、押下スイッチ１０６の押下が解除されたか否かを判定する（ステップＳ１６８）。
【０１４５】
押下スイッチ１０６の押下が解除されていないと判定されたとき（ステップＳ１６８：Ｎ）、処理装置２００は、ステップＳ１６０に戻り処理を継続する。一方、ステップＳ１６８において、押下スイッチ１０６の押下が解除されたと判定されたとき（ステップＳ１６８：Ｙ）、処理装置２００は、フリック処理を終了する（エンド）。
【０１４６】
なお、処理装置２００は、ＡＳＩＣ（Application Specific
Integrated Circuit）や専用のハードウェアによって構成されてもよい。この場合、処理装置２００は、ハードウェアによって構成された各部において、図１５〜図１８の各ステップに対応した処理が実行される。
【０１４７】
以上説明したように、本実施形態によれば、入力装置１００の操作面に操作体が接触状態のとき、表示装置３０の表示画面３２内における接触位置に対応した表示位置にポインターを表示することができる。これにより、従来のように操作面への接触がクリック操作として扱われなくなり、操作するユーザーに、クリック操作の前に操作体の位置を教えることができるようになる。また、操作体により入力装置１００の操作面に圧力を加えることにより、表示画面内の接触位置に対応した表示位置における確定指示を行うようにしている。これにより、操作面への操作体の接触と確定指示とを区別して情報の入力を受け付けることができ、操作面と表示画面とが分離された場合でも、ユーザーは、自身の操作元を見ることなく、多彩な情報の入力ができるようになる。
【０１４８】
〔その他〕
本実施形態では、表示装置３０がＨＭＤであり、その用途上、操作元に目を向けることが困難な表示装置を例に説明したが、本実施形態に係る表示装置がＨＭＤに限定されるものではない。
【０１４９】
図１９に、図１の情報処理装置をユーザーが利用するイメージの他の例を模式的に示す。図１９では、本実施形態における情報処理装置に適用される表示装置が、平面型ディスプレイ装置である例を表す。なお、図１９において、図２と同様の部分には同一符号を付し、適宜説明を省略する。
【０１５０】
図１９に示す情報処理装置が図２に示す情報処理装置と異なる点は、表示装置３０が表示装置３０ａとして平面型ディスプレイ装置に置き換えられた点と、表示装置３０ａと情報入力装置２０ａとの間が無線の信号伝送路を介して接続される点である。平面型ディスプレイ装置として、液晶ディスプレイ装置、プラズマディスプレイ装置、有機エレクトロルミネッセンス（Electro-Luminescence：ＥＬ）ディスプレイ装置等がある。情報入力装置２０ａは、無線の信号伝送路を介して表示装置３０ａに対して表示制御が可能な点を除いて、情報入力装置２０と同様の処理を行うことができる。
【０１５１】
この場合、情報入力装置２０ａには、ユーザー２４による操作に対応した操作情報が入力される。表示装置３０ａは、情報入力装置２０ａに入力された操作情報に対応した画像を表示することで、該操作情報を反映した結果を表示する。
【０１５２】
以上のように、図１９のような構成においても、ユーザー２４は、操作元に目を向けることなく、操作面に対するポインティング操作等による多彩な情報入力が可能となる。
【０１５３】
なお、本発明は上記の実施形態に限られるものではなく、その要旨を逸脱しない範囲において種々の態様において実施することが可能であり、例えば次のような変形も可能である。
【０１５４】
（１）上記の実施形態では、本発明に係る入力装置として、図４（Ａ）、図４（Ｂ）、図６（Ａ）、図６（Ｂ）に示す構成を備えるものを例に説明したが、本発明は入力装置の構成に限定されるものではない。
【０１５５】
（２）上記の実施形態では、本発明に係る表示装置として、図２又は図１９に示すものを例に説明したが、本発明は表示装置の態様に限定されるものではない。本発明に係る表示装置として、プロジェクター等の他の態様の表示装置を採用してもよい。
【０１５６】
（３）上記の実施形態では、ポインティング操作、クリック操作、長クリック操作、ドラッグ操作、及びフリック操作の各操作に対応した処理例を説明したが、本発明は、上記の各操作に対応した処理の内容に限定されるものではない。
【０１５７】
（４）上記の実施形態では、入力装置の操作面（操作領域）に対する操作として、ポインティング操作、クリック操作、長クリック操作、ドラッグ操作、及びフリック操作を例に説明したが、本発明は、これらの操作に限定されるものではない。
【０１５８】
（５）上記の実施形態では、操作面（操作領域）に対する操作体として、ユーザーの指を例に説明したが、本発明は操作体の種類に限定されるものではない。
【０１５９】
（６）なお、本発明は、種々の態様で実現することが可能である。例えば、本発明に係る操作面を有する入力装置を用いた情報入力方法や情報処理方法、これらの方法を実現するコンピュータープログラム、そのコンピュータープログラムを記録した記録媒体等の形態で実現することができる。
【符号の説明】
【０１６０】
１０…情報処理装置、  ２０，２０ａ…情報入力装置、  ２２…信号伝送路、
２４…ユーザー、  ２６…指（操作体）、  ３０…表示装置（ＨＭＤ）、
３０ａ…表示装置（平面型ディスプレイ装置）、  ３２…表示画面（表示領域）、
１００…入力装置、  １０２…タッチパッド、  １０４…クッション材、
１０６…押下スイッチ（スイッチ）、  １０８…可動体、  １１０…位置検出部、
１２０…プレス検出部、  ２００…処理装置、  ２１０…接触判定部、
２２０…位置検出処理部、  ２３０…プレス判定部、  ２４０…操作判定部、
２４２…クリック操作判定部、  ２４４…長クリック操作判定部、
２４６…ドラッグ操作判定部、  ２４８…フリック操作判定部、  ２６０…処理実行部、
２６２…クリック処理部、  ２６４…長クリック処理部、  ２６６…ドラッグ処理部、
２６８…フリック処理部、  ２８０…表示処理部、  ３００…ＣＰＵ、
３０２…ＲＯＭ、  ３０４…ＲＡＭ、  ３０６…Ｉ／Ｆ回路、  ３０８…バス、
３２０…バッテリー、  ３２２…ＵＳＢソケット、  ３２４…表示ＬＥＤ、
ＡＲ…操作面、  ＯＢＪ１〜ＯＢＪ４…オブジェクト、  ＯＲ…操作領域、
Ｐ１…操作領域内の座標位置、  Ｐ２…表示領域（表示画面）内の座標位置、
ｗｘ…操作領域の横幅、  ｗｙ…操作領域の縦幅、
ＷＸ…表示領域（表示画面）の横幅、  ＷＹ…表示領域（表示画面）の縦幅、
ｘ１…操作領域内の座標位置Ｐ１のｘ座標、
ｙ１…操作領域内の座標位置Ｐ１のｙ座標、
Ｘ１…表示領域内の座標位置Ｐ２のｘ座標、  Ｙ１…表示領域内の座標位置Ｐ２のｙ座標
【図１】
0005845585.tif 000002
【図２】
0005845585.tif 000003
【図３】
0005845585.tif 000004
【図４】
0005845585.tif 000005
【図６】
0005845585.tif 000006
【図１３】
0005845585.tif 000007
【図１４】
0005845585.tif 000008
【図１５】
0005845585.tif 000009
【図１６】
0005845585.tif 000010
【図１７】
0005845585.tif 000011
【図１８】
0005845585.tif 000012
【図１９】
0005845585.tif 000013
【図５】
0005845585.tif 000014
【図７】
0005845585.tif 000015
【図８】
0005845585.tif 000016
【図９】
0005845585.tif 000017
【図１０】
0005845585.tif 000018
【図１１】
0005845585.tif 000019
【図１２】
0005845585.tif 000020